(57)【要約】【課題】  床下地面に対する床タイルの施工が短時間で能率よく且つ正確に行えると共に綺麗な床に仕上げることができる床タイルの施工方法を提供する。【解決手段】  床下地面に十字状に引かれた基準線ｘ、ｙによって床下地面を第１区域Ａ〜第４区域Ｄに区画する工程と、基準線ｘ、ｙに沿って細長い基準枠板2a〜2dを着脱自在に仮止めする工程と、直角に隣接する基準枠板2a、2dによって固まれた第１区域Ａに基準枠板2a、2dを基準として床タイル１を縦横に貼着、施工する工程と、第２〜第４区域Ｂ〜Ｄにおいては、先に施工した床タイル列の端面を基準枠板の撤去によって次に施工する区域に向かって露出させ、この露出面とこの露出面に直角に連なる基準枠板の側端面とを基準面として区域内の床下地面上に床タイルを縦横に貼着、施工する工程とからなる。【選択図】図３
2018003552.tif 000002
【特許請求の範囲】
【請求項１】
床下地面に基準線を十字状に引くことによって床下地面を第１〜第４の区域に区画する工程と、上記基準線上に側端面が合致するように第１〜第４区域に区画している各基準線に沿って基準枠板を仮止めする工程と、第１〜第４区域に床タイルを上記基準枠板を基準として順次、貼着、施工する工程とからなることを特徴とする床タイルの施工方法。
【請求項２】
第１〜第４の区域に順次、床下地面を施工する際に、第１区域においては、互いに直角に隣接した基準枠板の側端面に床タイルの端面を接合させながら基準枠板の直角に連なった内隅部から基準枠板の長さ方向に床タイルを貼着、施工すると共に隣接する床タイルの対向端面同士を接合させながら第１区域全面に床タイルを施工し、第２〜第４区域においては、先に床タイルを施工した区域と次に床タイルを施工する区域とを区画した基準枠板を撤去したのち、この基準枠板の撤去により露出した床タイル列の端面とこの端面に直角に連なった基準線に沿って設けている基準枠板の側端面とに床タイルの端面を接合させながら床タイルを貼着、施工すると共に隣接する床タイルの対向端面同士を接合させながら区域全面に床タイルを施工することを特徴とする請求項１に記載の床タイルの施工方法。
【請求項３】
基準枠板は各区域を囲む直角に隣接した基準線に沿って床下地面上に貼着する一定幅と厚みを有する細長い長尺帯状板からなり、両面粘着テープによって床下地面上に基準線に沿って仮止めするように構成していることを特徴とする請求項１又は請求項２に記載の床タイルの施工方法。
【請求項４】
基準枠板を予め、全ての基準線に沿って仮止めしておくことを特徴とする請求項１、請求項２又は請求項３に記載の床タイルの施工方法。
【請求項５】
基準枠板は第１〜第４区域に床タイルを順次施工する毎に、床タイルを施工すべき区域の基準線に沿って仮止めされることを特徴とする請求項１、請求項２又は請求項３に記載の床タイルの施工方法。
【請求項６】
床タイルを施工すべき区域の床下地面上に接着剤を塗布し、この接着剤によって床タイルを床下地面に貼着することを特徴とする請求項１、請求項２又は請求項３に記載の床タイルの施工方法。
【請求項７】
床下地面に塗布される接着剤は、変成シリコーン系接着剤であることを特徴とする請求項６に記載の床タイルの施工方法。
【発明の詳細な説明】
【技術分野】
【０００１】
本発明は床タイルを床下地面に接着剤を用いて縦横に貼着する床タイルの施工方法に関する。
【背景技術】
【０００２】
従来から、コンクリートスラブ等の床下地面に床タイルを施工する方法としては、例えば、特許文献１及び特許文献２に記載されているように、床下地面にこの床下地面を区画する十字状の基準線を設けたのち、特許文献１においてはこの基準線に沿って帯状の両面粘着テープを貼着し、次いで、両面粘着テープ上に床タイルを上記基準線に沿うように貼着したのち、この床タイルを基準にして他の床タイルを互いに対向する端面同士を突き合わせ状に接合させながら床下地面の全面に亘って敷設する方法が知られている。
【０００３】
一方、特許文献２には、上記十字状の基準線における交点を中心にしてその周りに４枚の床タイルを対向する端面同士が上記基準線上で突き合わせ状に接合するように床下地面上に配置して仮止めしたのち、これらの床タイルを基準床タイルとして、この基準床タイルの周囲の床下地面全面に基準床タイルと同大、同形の床タイルを順次、対向する端面同士を突き合わせ状に接合しながら、予め、接着剤を塗布しておいた床下地面に貼着、敷設し、しかるのち、上記基準床タイルを取り除いてその跡に別な床タイルを接着剤によって貼着する床タイルの施工方法が記載されている。
【先行技術文献】
【特許文献】
【０００４】
【特許文献１】特開２００４−１００３７９号公報
【特許文献２】特開２０１５−２０３２８８号公報
【発明の概要】
【発明が解決しようとする課題】
【０００５】
しかしながら、上記特許文献１に記載の床タイルの施工方法によれば、基準線に沿って貼着した帯状の両面粘着テープに、施工基準となる複数枚の床タイルを基準線に沿って順次貼着する場合、これらの全ての床タイルの一端面が基準線に合致するように貼着する作業が極めて困難であって、一部の床タイルが基準線からはみ出したり、基準線から僅かに離間した状態で貼着される事態が発生し、精度のよい施工ができなくなると共に、施工に手間を要するといった問題点がある。
【０００６】
一方、特許文献２に記載の床タイルの施工方法によれば、基準床タイルは上記十字状の基準線における交点を中心にしてその周りに４枚、仮止めするだけであるから、比較的、その施工が容易に且つ正確に行えるが、基準床タイルの周囲の床下地面全面に基準床タイルと同大、同形の床タイルを、対向する端面同士を突き合わせ状に接合しながら、予め、接着剤を塗布しておいた床下地面に貼着、敷設するものであるから、基準線を介して対向する全ての床タイル同士をその突き合わせ状に接合した端面が基準線上に正確に位置付けながら床下地面上に接着することが困難であり、上記特許文献１の床タイルの施工方法と同様に、一方の床タイルが基準線からはみ出したり、基準線から僅かに離間方向にずれる事態が発生し、精度のよい施工ができなくなると共に施工に手間を要するといった問題点がある。
【０００７】
また、上記４枚の基準となる床タイルは粘着テープによって仮止めされていて、床下地面全面に床タイルを貼着したのち取り外し、この取り外した跡の床下地面に同大、同形の床タイルを接着剤によって貼着、固定しなければならず、その作業が煩わしくて床タイルの施工能率が低下するといった問題点がある。
【０００８】
この問題点は、基準床タイルを仮止めすることなく、接着剤によって貼着したのち，上記同様にしてその周囲の床下地面全面に基準床タイルと同大、同形の床タイルを、対向する端面同士を突き合わせ状に接合しながら、貼着、敷設すれば解消できるが、上記基準タイルを床下地面に貼着している接着剤が硬化する前にその周囲の床下地面上に床タイルを施工すると、基準床タイルが上記基準線からずれて精度のよい施工ができなくなる虞れがある。
【０００９】
そのため、基準床タイルの接着剤が完全に硬化するのを待ってこの基準床タイルの周囲に対する床タイルの施工を開始しなければならず、作業能率が低下することになる。その上、溶剤型接着剤を用いて床タイルを床下地面面に貼着した場合には、溶剤が揮発するまでの待機時間も必要となる。
【００１０】
さらに、床下地面上に基準床タイルを貼着する接着剤の量が多いと、基準床タイルの下面から接着剤がはみ出してこの接着剤の硬化後における基準床タイル周囲に対する床タイルの施工時に接着不良が発生するため、これらの床タイルの施工に先立って上記はみ出して硬化している接着剤を削り取っておかねばならず、また床下地面上に基準床タイルを貼着する接着剤の量が少ないと床下地面に対する基準床タイルの貼着が充分に行われなくなって接着不良が生じるといった問題点があった。
【００１１】
本発明はこのような問題点に鑑みてなされたもので、その目的とするところは、床下地面に対する床タイルの施工が短時間で能率よく且つ正確に行えると共に綺麗な仕上がりを可能にする床タイルの施工方法を提供するにある。
【課題を解決するための手段】
【００１２】
上記目的を達成するために、本発明の床タイルの施工方法は、請求項１に記載したように、床下地面に基準線を十字状に引くことによって床下地面を第１〜第４の区域に区画する工程と、上記基準線上に側端面が合致するように第１〜第４区域に区画している各基準線に沿って基準枠板を仮止めする工程と、第１〜第４区域に床タイルを上記基準枠板を基準として順次、貼着、施工する工程とからなることを特徴とする。
【００１３】
上記請求項１に記載の発明において請求項２に係る発明は、第１〜第４の区域に順次、床下地面を施工する際に、第１区域においては、互いに直角に隣接した基準枠板の側端面に床タイルの端面を接合させながら基準枠板の直角に連なった内隅部から基準枠板の長さ方向に床タイルを貼着、施工すると共に隣接する床タイルの対向端面同士を接合させながら第１区域全面に床タイルを施工し、第２〜第４区域においては、先に床タイルを施工した区域と次に床タイルを施工する区域とを区画した基準枠板を撤去したのち、この基準枠板の撤去により露出した床タイル列の端面とこの端面に直角に連なった基準線に沿って設けている基準枠板の側端面とに床タイルの端面を接合させながら床タイルを貼着、施工すると共に隣接する床タイルの対向端面同士を接合させながら区域全面に床タイルを施工することを特徴とする。
【００１４】
請求項３に係る発明は、上記基準枠板は各区域を囲む直角に隣接した基準線に沿って床下地面上に貼着する一定幅と厚みを有する細長い長尺帯状板からなり、両面粘着テープによって床下地面上に基準線に沿って仮止めするように構成していることを特徴とする。
【００１５】
上記請求項１〜請求項３に記載された発明において、請求項４に係る発明は、基準枠板を予め、全ての基準線に沿って仮止めしておくことを特徴とする。
【００１６】
一方、請求項５に係る発明は、基準枠板は第１〜第４区域に床タイルを順次施工する毎に、床タイルを施工すべき区域の基準線に沿って仮止めされることを特徴とする。
【００１７】
請求項６に係る発明は、床タイルを施工すべき区域の床下地面上に接着剤を塗布し、この接着剤によって床タイルを床下地面に貼着することを特徴とする。
【００１８】
請求項７に係る発明は、床下地面に塗布される接着剤は、変成シリコーン系接着剤であることを特徴とする。
【発明の効果】
【００１９】
請求項１に記載の発明によれば、床下地面に床タイルを貼着、施工するに先立って、床下地面に基準線を十字状に引くことによって床下地面を第１〜第４の区域に区画すると共に、上記基準線上に側端面が合致するように基準線に沿って基準枠板を仮固定しておくので、各区域の床下地面上に床タイルを貼着、施工する際に、まず、基準枠板の側端面に床下地面の端面を突き合わるように接合しながら基準枠板の長さ方向に床タイルを順次、貼着、施工することによって、これらの全ての床タイルを基準線に沿って簡単に且つ精度よく施工することができる。
【００２０】
さらに、基準枠板に沿って床タイルを順次施工すると共に、これらの床タイルを基準として各区域の床下地面全面に床タイルを互いに対向する端面同士を接合させながら円滑、且つ正確に貼着、施工することができ、床下地面に対する床タイルの施工が短時間で能率よく且つ綺麗な仕上がりとなるように施工することができる。
【００２１】
請求項２に係る発明によれば、上記第１区域に対する床タイルの施工は、この第１区域を囲むようにして互いに直角に連なった基準線に沿って仮止めしている基準枠板の内隅部に、最初に施工する床タイルの直角に隣接する端面を突き合わせ状に接合させて床下地面上に貼着、施工するものであるから、この床タイルは互いに直角に連なった基準枠板によって他の区域側に妄動するのを確実に阻止されて正確な施工位置に確実に保持される。そのため、この床タイルの基準枠板の長さ方向に向けている端面を基準として、基準枠板の長さ方向に沿って床タイルを順次、正確に接合させながら床下地面上に貼着、施工することができ、さらに、施工した床タイルと次に施工する床タイルとの対向端面同士を接合させながら第１区域全面に床タイルを正確に且つ能率よく貼着、施工することができる。
【００２２】
また、第２〜第４区域に対する床タイルの施工は、先に床タイルを施工した区域と次に床タイルを施工する区域とを仕切っている基準枠板を撤去したのち、この基準枠板の撤去により露出した床タイル列の端面とこの端面に直角に連なった基準線に沿って設けている基準枠板の側端面とに床タイルの端面を接合させながら床タイルを貼着、施工すると共に隣接する床タイルの対向端面同士を接合させながら区画全面に床タイルを施工するので、先に施工した区域における基準線に沿って露出した床タイル列の端面とこの端面に直角に連なる基準枠板とを基準として、上記第１区域に対する床タイルの施工と同様に、区域全面に床タイルを正確に且つ能率よく貼着、施工することができる。
【００２３】
請求項３に係る発明によれば、上記基準枠板は、各区域を囲む直角に隣接した基準線に沿って床下地面上に貼着する一定幅と厚みを有する細長い長尺帯状板からなり、両面粘着テープによって床下地面上に基準線に沿って仮止めするように構成しているので、基準線にその真っ直ぐな平坦面に形成されている側端面を基準線上に合致させながら簡単且つ正確に仮止めすることができ、また、床下地面からの撤去も容易に行うことができる。
【００２４】
なお、上記基準枠板は、請求項４に係る発明に記載したように、床下地面上に床タイルを貼着、施工する前に、予め、全ての基準線に沿って仮止めしておいてもよく、或いは、請求項５に係る発明に記載したように、第１〜第４区域に床タイルを順次施工する毎に、床タイルを施工すべき区域の基準線に沿って仮止めしてもよい。
【００２５】
請求項６に係る発明によれば、床タイルを施工すべき区域の床下地面上に接着剤を塗布し、この接着剤によって床タイルを床下地面に貼着することを特徴とするものであるから、床下地面上に対する床タイルの貼着、施工が能率よく行えて作業性を向上させることができると共に、区域内の床下地面に接着剤を塗布する際に、基準枠板によって接着剤が隣接する区域側にはみだすのを確実に阻止しながら所定量の接着剤を区域全面に均一に塗布することができ、塗布量の不足による接着不良の発生をなくすることができる。
【００２６】
請求項７に係る発明によれば、床下地面上に対する床タイルの接着剤として変成シリコーン系接着剤を用いているので、健康を損なう危険性のある溶剤系接着剤とは異なって、作業者等に対する健康上の安全性を確保することができる。
【図面の簡単な説明】
【００２７】
【図１】床タイルを施工すべき室内の床下地面に基準線を設けた状態の平面図。
【図２】基準線に沿って基準枠板を仮止めした状態の平面図。
【図３】第１区域内に床タイルを貼着、施工している状態の平面図。
【図４】その一部分の簡略斜視図。
【図５】第２区域内に床タイルを貼着、施工している状態の平面図。
【図６】第３区域内に床タイルを貼着、施工している状態の平面図。
【図７】第４区域内に床タイルを貼着、施工している状態の平面図。
【図８】室内の床下地面全面に床タイルを施工した状態の平面図。
【図９】本発明の別な床タイルの施工方法を示す平面図。
【図１０】その第１区域内に床タイルを貼着、施工している状態の平面図。
【図１１】第２区域内に床タイルを貼着、施工している状態の平面図。
【図１２】第３区域内に床タイルを貼着、施工している状態の平面図。
【図１３】第４区域内に床タイルを貼着、施工している状態の平面図。
【発明を実施するための形態】
【００２８】
本発明の具体的な実施の形態を図面について説明すると、まず、床タイル２を敷設すべき室内におけるコンクリートスラブ等の床下地面の寸法を測定して床タイル１が床下地面全面にバランスよく縦横に敷き並べることができる中心点を決め、四方の壁の四隅部に沿って敷設される床タイルが半分以下の接着面積とならないように上記中心点に沿って墨出し器などを使用して図１に示すように、互いに十字状に直交した２本の施工基準線ｘ、ｙを縦横に引くことによって、上記床下地面を第１区域Ａ、第２区域Ｂ、第３区域Ｃ、第４区域Ｄに区画する。
【００２９】
なお、図1 において、上記第１区域Ａは上記十字状の基準線ｘ、ｙにおける横方向に引かれた基準線ｘの一半部の基準線x1と、縦方向に引かれた基準線ｙの一半部の基準線y1とによって囲まれた床下地面部分であり、第２区域Ｂは上記横方向に引かれた基準線ｘの一半部の基準線x1と、縦方向に引かれた基準線ｙの他半部の基準線y2とによって固まれた床下地面部分であり、第３区域Ｃは上記横方向に引かれた基準線ｘの他半部の基準線x2と、縦方向に引かれた基準線ｙの他半部の上記基準線y2とによって固まれた床下地面部分であり、第４区域Ｄは上記横方向に引かれた基準線ｘの他半部の基準線x2と、縦方向に引かれた基準線ｙの一半部の基準線y1とによって囲まれた床下地面部分である。
【００３０】
これらの第１区域Ａ〜第４区域Ｄの床下地面上に床タイル１を縦横に施工するに際して、まず、第１区域Ａ〜第４区域Ｄに区画している上記十字状に直交した基準線ｘ、ｙにおける上記横方向に引かれた基準線x1、x2と縦方向に引かれた基準線y1、y2とに沿って図２に示すように、横方向に長い二つの基準枠板2a、2cと、縦方向に長い二つの基準枠板2b、2dを床下地面にそれぞれ着脱自在に仮止めしておく。
【００３１】
これらの基準枠板2a〜2dは、木材或いはプラスチック等からなり、一定幅と厚みを有する細長い長尺帯状板の形状に形成されていて、基準線ｘ、y に沿わせる長辺側の側端面2a 1〜2d1 は全長に亙って平坦な垂直側端面に形成されている。
【００３２】
そして、第１区域Ａを囲んでいる上記横方向に引かれた基準線x1とこの基準線x1に直角に隣接する縦方向に引かれた基準線y1とに沿ってそれぞれ配設される基準枠板2a、2dにおいて、横方向に引かれた基準線x1に沿って配設される基準枠板2aは、その長さがこの基準線x1と同一長さに形成されていて、この基準線x1を介して第１区域Ａと区画された第２区画Ａ側の床下地面上に、その側端面2a1 の下端を全長に亘って基準線x1上に合致させた状態にして仮止めされている。
【００３３】
同様に、上記基準線x1に直角に隣接する縦方向に引かれた基準線y1に沿って配設される基準枠板2dは、その長さがこの基準線y1と同一長さに形成されていて、この基準線y1を介して第１区域Ａと区画された第４区域Ｄ側の床下地面上に、その側端面2d1 の下端を全長に亘って基準線y1上に合致させた状態にして仮止めされている。
【００３４】
さらに、上記第１区域Ａと第４区域Ｄとを区画している縦方向の基準線ｙの一半部の基準線y1に連なるこの基準線ｙの他半部の基準線y2によって第２区域Ｂと第３区域Ｃとが区画されてあり、この基準線y2に沿って配設される基準枠板2bは、その長さがこの基準線y2と同一長さに形成されていて、この基準線y2を介して第２区域Ｂと区画された第３区域Ｃ側の床下地面上に、その側端面2b1 の下端を全長に亘って基準線y2上に合致させた状態にして仮止めされている。
【００３５】
上記第１区域と第２区域Ｂとを区画している横方向の基準線ｘの一半部の基準線x1から延設した他半部の基準線x2によって第３区域Ｃと第４区域Ｄとが区画されてあり、この基準線x2に沿って配設される基準枠板2cは、その長さがこの基準線x2の長さよりも第１区域Ａと第４区域Ｄとを区画している上記基準枠板2dの幅寸法分だけ短い長さに形成されていて、この基準枠板2cを上記基準線x2に沿って第３区域Ｃと区画された第４区域Ｄ側の床下地面上に、その側端面2c1 の下端を全長に亘って基準線x2上に合致させた状態にして仮止めしている。
【００３６】
上記各基準枠板2a〜2cは、その裏面（下面）に両面粘着テープ３が貼着されていて、この両面粘着テープ３によって図４に示すように床下地面に着脱自在に貼着するように構成しているが、床下地面によってはビス等によって仮止めを行うようにしてもよい。
【００３７】
上記のように基準線x1、x2、y1、y2に沿って床下地面上に仮止めされた基準枠板2a〜2dにより仕切られている第１区域Ａ〜第４区域Ｄの床下地面にビニル等の合成樹脂製タイル或いは木質系のタイル等の矩形状の床タイル１を縦横に敷きつめるには、基準線x1、y1、とによって囲まれた第１区域Ａからタイル施工を開始する。
【００３８】
この第１区域Ａに対する床タイルの施工は、第１区域Ａの床下地面全面に接着剤４を櫛目状に塗布したのち、まず、互いに直角に連なった基準線x1、y1に沿って仮止めしている基準枠板2a、2dの直角に対向する端部によって形成された内隅部に、図４に示すように、最初に施工する床タイル１の直角に隣接する端面を突き合わせ状に接合させてこの床タイル１を床下地面上に貼着、施工する。なお、接着剤４としては、作業環境や健康上の安全性を考慮して脱溶剤タイプの変成シリコーン系接着剤を使用している。
【００３９】
次いで、この床タイル１の床下地面上に面している直角に隣接した端面を基準として、床タイル１の互いに対向する端面同士を突き合わせ状に接合させると共に基準枠板2a、2dの側端面2a1 、2d1 に対向する端面をこの側端面2a1 、2d1 に突き合わせ状に接合させながら基準枠板2a、2dの長さ方向に床タイル１を貼着、敷設し、さらに、図３に示すように、先に貼着、敷設した床タイル１に対向する端面を接合させながら床タイル１を縦横に敷設して第１区域Ａ全面に床タイルを施工する。
【００４０】
次に、第２区域Ｂに対する床タイルの施工に移る。まず、上記第１区域Ａとこの第２区域Ｂとを仕切っている上記基準枠板2aを撤去して、この基準枠板2aに沿って第１区域Ａに施工した上記床タイル列の端面（この端面は基準線x1上にある）を第２区域Ｂ側に露出させると共に第２区域Ｂの床下地面全面に接着剤４を塗布する。
【００４１】
しかるのち、上記基準枠板2aの撤去によって露出した床タイル列の端面と、この端面に直角に連なった基準線y2に沿って仮止めしている基準枠板2bの側端面、即ち、第１区域Ａと第４区域Ｄとを仕切っている基準枠板2dから真っ直ぐに延長した状態で接続している基準枠板2bの側端面2b1 とを基準面としてこれらの基準面に対向する床タイル１の端面を基準面に突き合わせ状に接合しながら、且つ対向する床タイルの端面同士を突き合わせ状に接合させながら図５に示すように、基準面の長さ方向に床タイル１を貼着、敷設すると共に、先に貼着、敷設した床タイル１に対向する端面を接合させながら床タイル１を縦横に敷設して第２区域Ｂ全面に床タイル１を施工する。
【００４２】
この第２区域Ｂに対する床タイルの施工後、第３区域Ｃに対する床タイルの施工を第２区域Ｂと同様にして行う。即ち、第２区域Ｂとこの第３区域Ｃとを仕切っている上記基準枠板2bを撤去して、この基準枠板2bに沿って第２区域Ｂに施工した上記床タイル列の端面（この端面は基準線y2上にある）を第３区域Ｃ側に露出させると共に第３区域Ｃの床下地面全面に接着剤４を塗布する。
【００４３】
しかるのち、上記基準枠板2bの撤去によって露出した床タイル列の端面と、この端面に直角に連なった基準線x2に沿って仮止めしている基準枠板2cの側端面2c1 とを基準面として、これらの基準面に対向する床タイル１の端面を基準面に突き合わせ状に接合しながら、且つ対向する床タイルの端面同士を突き合わせ状に接合させながら図６に示すように、基準面の長さ方向に床タイル１を貼着、敷設すると共に、先に貼着、敷設した床タイル１に対向する端面を接合させながら床タイル１を縦横に敷設して第３区域Ｃ全面に床タイル１を施工する。
【００４４】
次いで第４区域Ｄに対する床タイルの施工に移る。まず、第３区域Ｃとこの第４区域Ｄとを仕切っている上記基準枠板2cを撤去して、この基準枠板2cに沿って第３区域Ｃに施工した上記床タイル列の端面（この端面は基準線x2上にある）を第４区域Ｄ側に露出させると共に第１区域Ａと第４区域Ｄとを仕切っている基準枠板2dも撤去して、この基準枠板2dに沿って第１区域Ａに施工した上記床タイル列の端面（この端面は基準線y1上にある）も第４区域Ｄ側に露出させのち、第４区域Ｄの床下地面全面に接着剤４を塗布する。
【００４５】
しかるのち、上記基準枠板2c、2dの撤去によって露出した互い直角に連なった床タイル列の端面を基準面として、これらの基準面に対向する端面を基準面に突き合わせ状に接合させながら、且つ対向する端面同士を突き合わせ状に接合させながら図７に示すように、基準面の長さ方向に床タイル１を貼着、敷設すると共に、先に貼着、敷設した床タイル１に対向する端面を接合させながら床タイル１を縦横に敷設して第４区域Ｄ全面に床タイル１を施工する。こうして、図８に示すように、室内の床下地面上に対する床タイルの施工が完了する。
【００４６】
なお、以上の実施例においては、予め、床下地面を区画した十字状の基準線ｘ、ｙに沿って基準枠板2a〜2dを仮止めしておいたのち、床タイルの施工を行っているが、第１区域Ａ〜第４区域Ｄに床タイル１を順次施工する毎に、施工すべき区域を囲む基準線に沿って仮止めしてもよい。
【００４７】
図９〜図14はその実施例を示すもので、まず、上記実施例と同様に、床タイルを施工すべき床下地面に十字状に直交した２本の施工基準線ｘ、ｙを縦横に引くことによって、図９に示すように、上記床下地面を第１区域Ａ、第２区域Ｂ、第３区域Ｃ、第４区域Ｄに区画し、第１区域Ａから第４区域Ｄに向かって順次、床タイルの施工を行う。
【００４８】
なお、上記実施例において説明をしたように、第１区域Ａは上記十字状の基準線ｘ、ｙにおける横方向に引かれた基準線ｘの一半部の基準線x1と、縦方向に引かれた基準線ｙの一半部の基準線y1とによって囲まれた床下地面部分であり、第２区域Ｂは上記横方向に引かれた基準線ｘの一半部の基準線x1と、縦方向に引かれた基準線ｙの他半部の基準線y2とによって固まれた床下地面部分であり、第３区域Ｃは上記横方向に引かれた基準線ｘの他半部の基準線x2と、縦方向に引かれた基準線ｙの他半部の上記基準線y2とによって固まれた床下地面部分であり、第４区域Ｄは上記横方向に引かれた基準線ｘの他半部の基準線x2と、縦方向に引かれた基準線ｙの一半部の基準線y1とによって囲まれた床下地面部分である。
【００４９】
７
第１区域Ａに床タイルを施工するには、図10に示すように、この第１区域Ａを囲んでいる上記横方向に引かれた基準線x1とこの基準線x1に直角に隣接する縦方向に引かれた基準線y1とに沿ってそれぞれ基準枠板2a、2dを床下地面に両面粘着テープによって仮止めする。この際、床タイルの施工時の基準面となる第１区域Ａ側に面しているこれらの基準枠板2a、2dの側端面2a1 、2d1 が上記基準線x1、y1上にそれぞれ合致するように基準枠板2a、2dを第１区域Ａに隣接する第２区域Ｂと第４区域Ｄとの床下地面上に仮止めする。
【００５０】
このように、第１区域Ａを囲むようにして基準線x1、y1に沿って基準枠板2a、2dを床下地面上に仮止めしたのち、第１区域Ａの床下地面全面に接着剤４を塗布したのち、基準枠板2a、2dの直角に対向する端部によって形成された内隅部に、最初に施工する床タイル１の直角に隣接する端面を突き合わせ状に接合させてこの床タイル１を床下地面上に貼着、施工する。
【００５１】
次いで、この床タイル１の床下地面上に面している直角に隣接した端面を基準として、互いに対向する床タイル１、１の端面同士を突き合わせ状に接合させると共に基準枠板2a、2dの側端面2a1 、2d1 に対向する床タイル１の端面をこの側端面2a1 、2d1 に突き合わせ状に接合させながら基準枠板2a、2dの長さ方向に床タイル１を貼着、敷設し、さらに、先に貼着、敷設した床タイル１に対向する端面を接合させながら床タイル１を縦横に敷設して第１区域Ａ全面に床タイルを施工する。
【００５２】
第１区域Ａに対する床タイルの施工後、第１区域Ａと第２区域Ｂとを仕切っている基準枠板2aを撤去すると共に、第１区域Ａと第４区域Ｄとを仕切っている基準枠板2dの端面から真っ直ぐに連なるように第２区域Ｂ第３区域Ｃとを区画している基準線y2に沿って基準枠板2bを、床タイルの施工時の基準面となる第２区域Ｂ側に面している側端面2b1 が上記基準線y2上に合致するように床下地面上に両面粘着テープによって仮止めする。なお、上記第１区域Ａと第４区域Ｄとを仕切っている基準枠板2dも撤去しておいてもよい。
【００５３】
次いで、この第２区域Ｂの床下地面全面に接着剤４を塗布したのち、上記基準枠板2aの撤去によって露出した床タイル列の端面と、この端面に直角に連なった上記基準枠板2bの側端面2b1 とを基準面としてこれらの基準面に対向する床タイル１の端面を基準面に突き合わせ状に接合しながら、且つ対向する床タイル１、１の端面同士を突き合わせ状に接合させながら図11に示すように、基準面の長さ方向に床タイル１を貼着、敷設すると共に、先に貼着、敷設した床タイル１に対向する端面を接合させながら床タイル１を縦横に敷設して第２区域Ｂ全面に床タイル１を施工する。
【００５４】
第２区域Ｂに対する床タイルの施工後、第２区域Ｂと第３区域Ｃとを仕切っている基準枠板2bを撤去すると共に、第３区域Ｃと第４区域Ｄとを区画している基準線x2に沿って基準枠板2cを両面粘着テープによって仮止めする。なお、この基準枠板2cは基準線x2と同一長さに形成されている。
【００５５】
しかるのち、この第３区域Ｃの床下地面全面に接着剤４を塗布したのち、上記基準枠板2bの撤去によって露出した床タイル列の端面と、この端面に直角に連なった上記基準枠板2cの側端面2c1 とを基準面としてこれらの基準面に対向する床タイル１の端面を基準面に突き合わせ状に接合しながら、且つ対向する床タイル１、１の端面同士を突き合わせ状に接合させながら図12に示すように、基準面の長さ方向に床タイル１を貼着、敷設すると共に、先に貼着、敷設した床タイル１に対向する端面を接合させながら床タイル１を縦横に敷設して第２区域Ｂ全面に床タイル１を施工する。
【００５６】
次いで第４区域Ｄに対する床タイルの施工に移る。まず、第３区域Ｃとこの第４区域Ｄとを仕切っている上記基準枠板2cを撤去して、この基準枠板2cに沿って第３区域Ｃに施工した上記床タイル列の端面を第４区域Ｄ側に露出させると共に第１区域Ａと第４区域Ｄとを仕切っている基準枠板2dも予め撤去しておき、この撤去によって第１区域Ａに施工した床タイル列の端面を第４区域Ｄに露出させた状態にしたのち、第４区域Ｄの床下地面全面に接着剤４を塗布する。
【００５７】
しかるのち、上記基準枠板2c、2dの撤去によって露出した互い直角に連なった床タイル列の端面を基準面として、これらの基準面に対向する端面を基準面に突き合わせ状に接合させながら、且つ対向する端面同士を突き合わせ状に接合させながら図13に示すように、基準面の長さ方向に床タイル１を貼着、敷設すると共に、先に貼着、敷設した床タイル１に対向する端面を接合させながら床タイル１を縦横に敷設して第４区域Ｄ全面に床タイル１を施工する。
【符号の説明】
【００５８】
１  床タイル
2a〜2d  基準枠板
３  両面粘着テープ
４  接着剤
Ａ  第１区域
Ｂ  第２区域
Ｃ  第３区域
Ｄ  第４区域
ｘ、ｙ  基準線
【図１】
2018003552.tif 000003
【図２】
2018003552.tif 000004
【図３】
2018003552.tif 000005
【図４】
2018003552.tif 000006
【図５】
2018003552.tif 000007
【図６】
2018003552.tif 000008
【図７】
2018003552.tif 000009
【図８】
2018003552.tif 000010
【図９】
2018003552.tif 000011
【図１０】
2018003552.tif 000012
【図１１】
2018003552.tif 000013
【図１２】
2018003552.tif 000014
【図１３】
2018003552.tif 000015